【手続補正書】
【提出日】平成18年1月17日(2006.1.17)
【手続補正１】
【補正対象書類名】明細書
【補正対象項目名】特許請求の範囲
【補正方法】変更
【補正の内容】
【特許請求の範囲】
【請求項１】  X1-X2-X3-Leu-X4-Glu-Leu-X5-X6-Leu-Gln-Thr-Tyr-Pro-
Arg-Thr-Asn-X7-Z3［配列番号２７］
［式中、（ａ） X1は、（i）Leu-Leu、Val-Leu、Ile-Leu、tert-Leu-Leu、Nle-LeuおよびAla-ThrおよびそのN-アシル化誘導体よりなる群から選択される２つのアミノ酸残基の基であり；または（ii）基 Z1-Ser-Thr-Z2-Val-Leu［配列番号２８］であり、ここに、Z1は、Leu、Val、Ile、tert-Leu、Nva、AbuおよびNleまたはそのN-アシル化誘導体よりなる群から選択されるアミノ酸残基であるか、またはZ1はアルカノイル基であって；
Z2は、Ala、Ser、CysおよびThrよりなる群から選択されるアミノ酸残基であり；
（ｂ） X2は、Gly、Glu、AsnまたはAibよりなる群から選択されるアミノ酸残基であり；
（ｃ） X3は、 Arg、Orn、Lysおよびそのε-アミド化誘導体よりなる群から選択されるアミノ酸残基であり；
（ｄ） X4は、Ser-Gln、Thr-Gln、Ala-AsnおよびThr-Asnよりなる群から選択される２つのアミノ酸残基の基であり；
（ｅ） X5は、His、Aib、Ile、LeuおよびValよりなる群から選択されるアミノ酸残基であり； 
（ｆ） X6は、Arg、Orn、Lysおよびそのε-アミド化誘導体よりなる群から選択されるアミノ酸残基であり；
（ｇ） X7は、
（i） Thr-Gly-Ser-Asn-Thr-Tyr-NH2［配列番号２９］
（ii） Thr-Gly-Ser-Gly-Thr-Pro-NH2［配列番号３０］
（iii） Val-Gly-Ser-Asn-Thr-Tyr-NH2［配列番号３１］
（iv） Val-Gly-Ser-Gly-Thr-Pro-NH2［配列番号３２］
よりなる群から選択される６つのアミノ酸残基を有する基であって；
（ｈ） Z3はOHまたはNH2であり；
但し、該化合物は、配列番号１４ないし２６のいずれの式も有しない］
で表される化合物またはその医薬上許容される塩。
【請求項２】  Z3がNH2である請求項１記載の化合物。
【請求項３】  X2がGlyである請求項１記載の化合物。
【請求項４】  X5がHisまたはAibである請求項３記載の化合物。
【請求項５】  X4がSer-Gluである請求項４記載の化合物。
【請求項６】  X7がThr-Gly-Ser-Asn-Thr-Tyr［配列番号２９］またはThr-Gly-Ser-Gly-Thr-Pro-NH2［配列番号３０］である請求項５記載の化合物。
【請求項７】  X1が、Z1-Ser-Thr-Z2-Val-Leu［配列番号２８］である請求項６記載の化合物。
【請求項８】  X3およびX6が、１ないし８個の炭素原子を有するカルボン酸でε-アミド化された請求項７記載の化合物。
【請求項９】  Z1が、１ないし約１０個の炭素原子を有するアルカノイル基、またはLeuである請求項１記載の化合物。
【請求項１０】  Z2が、AlaまたはCysである請求項９記載の化合物。
【請求項１１】  Z1が、アルカノイル基である請求項１０記載の化合物。
【請求項１２】  X3およびX6が、ホルムアミド化されるかまたはアセトアミド化された請求項１１記載の化合物。
【請求項１３】  Z2がAlaである請求項１２記載の化合物。
【請求項１４】  X3およびX6が、Lys(For)である請求項１３記載の化合物。
【請求項１５】  Z1が４-メチルペンタノイルである請求項１４記載の化合物。
【請求項１６】  Leu-Ser-Thr-Cys-Val-Leu-Gly-Arg-Leu-Ser-Gln-Glu-
Leu-His-Arg-Leu-Gln-Thr-Tyr-Pro-Arg-Thr-Asn-Thr-
Gly-Ser-Asn-Thr-Tyr［配列番号１］；
４-メチルペンタノイル-Ser-Thr-Ala-Val-Leu-Aib-
Lys(For) -Leu-Ser-Gln-Glu-Leu-Aib-Lys(For)-Leu-
Gln-Thr-Tyr-Pro-Arg-Thr-Asn-Thr-Gly-Ser-Gly-Thr-
Pro［配列番号２］；
Ac-Leu-Ser-Thr-Ser-Val-Leu-Gly-Arg-Leu-Ser-Gln-
Glu-Leu His-Arg-Leu-Gln-Thr-Tyr-Pro-Arg-Thr-Asn-
Thr-Gly-Ser-Asn-Thr-Tyr［配列番号３］；
Leu-Ser-Thr-Ala-Val-Leu-Gly-Arg-Leu-Ser-Gln-Glu-
Leu-His-Arg-Leu-Gln-Thr-Tyr-Pro-Arg-Thr-Asn-Thr-
Gly-Ser-Asn-Thr-Tyr［配列番号４］；
Leu-Ser-Thr-Ser-Val-Leu-Gly-Arg-Leu-Ser-Gln-Glu-
Leu-His-Arg-Leu-Gln-Thr-Tyr-Pro-Arg-Thr-Asn-Thr-
Gly-Ser-Asn-Thr-Tyr［配列番号５］；
Ac-Leu-Ser-Thr-Ala-Val-Leu-Gly-Arg-Leu-Ser-Gln-
Glu-Leu-His-Arg-Leu-Gln-Thr-Tyr-Pro-Arg-Thr-Asn-
Tyr-Gly-Ser-Asn-Thr-Tyr［配列番号６］；
Ac-Leu-Ser-Thr-Cys-Val-Leu-Gly-Arg-Leu-Ser-Gln-
Glu-Leu-His-Arg-Leu-Gln-Thr-Tyr-Pro-Arg-Thr-Asn-
Thr-Gly-Ser-Asn-Thr-Tyr［配列番号７］；
Val-Leu-Aib-Lys(For)-Leu-Ser-Gln-Glu-Leu-Aib-
Lys(For)-Leu-Gln-Thr-Tyr-Pro-Arg-Thr-Asn-Thr-Gly-
Ser-Asn-Thr-Tyr［配列番号８］；
Ac-Val-Leu-Aib-Lys(For)-Leu-Ser-Gln-Glu-Leu-Aib-
Lys(For)-Leu-Gln-Thr-Tyr-Pro-Arg-Thr-Asn-Thr-Gly-
Ser-Asn-Thr-Tyr［配列番号９］；
４-メチルペンタノイル-Ser-Thr-Ala-Val-Leu-Aib-
Lys(For)-Leu-Ser-Gln-Glu-Leu-Aib-Lys(For)-Leu-
Gln-Thr-Tyr-Pro-Arg-Thr-Asn-Thr-Gly-Ser-Asn-Thr-
Tyr［配列番号１０］；
４-メチルペンタノイル-Ser-Thr-Cys-Val-Leu-Aib-
Lys(For)-Leu-Ser-Gln-Glu-Leu-Aib-Lys(For)-Leu-
Gln-Thr-Tyr-Pro-Arg-Thr-Asn-Thr-Gly-Ser-Asn-Tyr-
Tyr［配列番号１１］；
Ala-Thr-Aib-Lys(For)-Leu-Ala-Asn-Glu-Leu-Aib-
Lys(For)-Leu-Gln-Thr-Tyr-Pro-Arg-Thr-Asn-Thr-Gly-
Ser-Asn-Thr-Tyr［配列番号１２］；および
Ac-Ala-Thr-Aib-Lys(For)-Leu-Ala-Asn-Glu-Leu-Aib-
Lys(For)-Leu-Gln-Thr-Thy-Pro-Arg-Thr-Asn-Thr-Gly-
Ser-Asn-Thr-Tyr［配列番号１３］よりなる群から選択されるアミノ酸配列を有する請求項１記載の化合物。
【請求項１７】  化合物 Leu-Ser-Thr-Cys-Val-Leu-Gly-Arg-Leu-Ser-Gln-Glu-Leu-His-Arg-Leu-Gln-Thr-Tyr-Pro-Arg-Thr-Asn-Thr-Gly-Ser-Asn-Thr-Tyr［配列番号１］。
【請求項１８】  化合物 ４-メチルペンタノイル-Ser-Thr-Ala-Val-Leu-
Aib-Lys(For)-Leu-Ser-Gln-Glu-Leu-Aib-Lys(For)-Leu-Gln-Thr-Tyr-Pro-Arg-Thr-Asn-Thr-Gly-Ser-Gly-Thr-Pro［配列番号２］。
【請求項１９】  請求項１ないし１８のいずれか１記載の化合物を医薬上許容される担体に含む組成物。
【請求項２０】  請求項１ないし１８のいずれか１記載の化合物の治療上有効量を含む、対象における糖尿病を治療ための医薬組成物。
【請求項２１】  該糖尿病がＩ型糖尿病である請求項２０記載の医薬組成物。
【請求項２２】  該糖尿病がII型糖尿病である請求項２０記載の医薬組成物。
【請求項２３】  請求項１ないし１８のいずれか１記載の化合物の治療上有効量を含む、対象における胃腸運動を有益に調節するための医薬組成物。
【請求項２４】  胃腸運動の該有益な調節が、胃内容排泄を遅延させることを含む請求項２３記載の医薬組成物。
【請求項２５】  請求項１ないし１８のいずれか１記載の化合物の治療上有効量を含む、対象における損なわれたグルコース耐性、食後の高血糖、肥満、および症候群Ｘよりなる群から選択される障害を治療するための医薬組成物。